(57)【要約】【課題】操作者が横長のキートップのどの位置を押し操作しても常にスイッチを押下することができると共に、キートップの押し操作時の操作ボタンの傾きを抑制して操作性の向上を図る仕組みを提供する。【解決手段】電子機器は、機器本体の外装部１０１ｄに対して押し操作が可能に保持される操作ボタン１０７と、操作ボタン１０７を押し方向と逆方向に付勢する付勢部材２０２とを備える。操作ボタンは、横長に形成されるキートップ２０１と、キートップ２０１の中央部から突設される押し軸２０１ｂと、キートップ２０１の長手方向の両端側からそれぞれ突設される一対の摺動軸２０１ａと、を有する。そして、押し軸２０１ｂが、穴１０１ｂに挿入されることによってキートップ２０１の短手方向の位置が規制され、摺動軸２０１ａが、穴１０１ａに挿入されることによってキートップ２０１の長手方向の位置が規制される。【選択図】図４
2013101813.tif 000002
【特許請求の範囲】
【請求項１】
機器本体の外装部に対して押し操作が可能に保持される操作ボタンと、前記操作ボタンを押し方向と逆方向に付勢する付勢部材とを備える電子機器であって、
前記操作ボタンは、
横長に形成されるキートップと、
前記キートップの中央部から突設され、前記外装部に形成された押し軸用穴に挿入されて、前記キートップを押し操作した際に、前記機器本体に設けられたスイッチを押下する押し軸と、
前記キートップの長手方向の両端側からそれぞれ突設され、前記外装部に形成された一対の摺動軸用穴に挿入される一対の摺動軸と、を有し、
前記押し軸が、前記押し軸用穴に挿入されることによって前記キートップの短手方向の位置を規制し、
前記一対の摺動軸が、前記一対の摺動軸用穴にそれぞれ挿入されることによって前記キートップの長手方向の位置を規制し、
前記付勢部材は、前記一対の摺動軸を前記キートップの押し方向と逆方向に付勢することを特徴とする電子機器。
【請求項２】
前記押し軸、及び前記摺動軸は、それぞれ前記押し軸用穴の内壁面、及び前記摺動軸用穴の内壁面に対して軸方向に線接触することを特徴とする請求項１に記載の電子機器。
【請求項３】
前記押し軸用穴の軸方向の長さは、前記摺動軸用穴の軸方向の長さより長く設定されることを特徴とする請求項１又は２に記載の電子機器。
【発明の詳細な説明】
【技術分野】
【０００１】
本発明は、例えばデジタルカメラ等の電子機器に関する。
【背景技術】
【０００２】
デジタルカメラ等の電子機器では、小型化や薄型化に伴い、レリーズボタン等の操作ボタンのキートップを操作者から見て左右方向に横長にして操作者が触れる面積を大きくすることで、操作性を向上させたものがある。しかし、操作ボタンのキートップを横長に形成すると、長手方向の端部を押し操作した際に、操作ボタンが傾き、操作ボタンの下に配置されるスイッチが押下され難くなるという問題があった。
【０００３】
そこで、横長のキートップが押し操作された際に、キートップの長手方向に沿って平行に延びる支持凸部によりキートップの短手方向の一側を片持ち支持し、支持凸部を支点として操作ボタンが傾斜するように構成したボタン構造が提案されている（特許文献１）。この提案では、操作者がキートップのどの位置を押し操作しても、常に支持凸部を支点として操作ボタンを傾斜させながらスイッチを押下することができるとしている。
【先行技術文献】
【特許文献】
【０００４】
【特許文献１】特開２００８−１３０５３０号公報
【発明の概要】
【発明が解決しようとする課題】
【０００５】
しかし、上記特許文献１では、支持凸部の直上又はその近傍ではキートップを押し操作することができず、また、押し操作時に常に操作ボタンが短手方向に傾くため、操作性が悪くなる。
【０００６】
そこで、本発明は、操作者が横長のキートップのどの位置を押し操作しても常にスイッチを押下することができるとともに、キートップの押し操作時の操作ボタンの傾きを抑制して操作性の向上を図ることができる仕組みを提供することを目的とする。
【課題を解決するための手段】
【０００７】
上記目的を達成するために、本発明は、機器本体の外装部に対して押し操作が可能に保持される操作ボタンと、前記操作ボタンを押し方向と逆方向に付勢する付勢部材とを備える電子機器であって、前記操作ボタンは、横長に形成されるキートップと、前記キートップの中央部から突設され、前記外装部に形成された押し軸用穴に挿入されて、前記キートップを押し操作した際に、前記機器本体に設けられたスイッチを押下する押し軸と、前記キートップの長手方向の両端側からそれぞれ突設され、前記外装部に形成された一対の摺動軸用穴に挿入される一対の摺動軸と、を有し、前記押し軸が、前記押し軸用穴に挿入されることによって前記キートップの短手方向の位置を規制し、前記一対の摺動軸が、前記一対の摺動軸用穴にそれぞれ挿入されることによって前記キートップの長手方向の位置を規制し、前記付勢部材は、前記一対の摺動軸を前記キートップの押し方向と逆方向に付勢することを特徴とする。
【発明の効果】
【０００８】
本発明によれば、操作者が横長のキートップのどの位置を押し操作しても常にスイッチを押下することができるとともに、キートップの押し操作時の操作ボタンの傾きを抑制して操作性の向上を図ることができる。
【図面の簡単な説明】
【０００９】
【図１】（ａ）は本発明の電子機器の一例であるデジタルカメラを正面側から見た斜視図、（ｂ）は（ａ）に示すデジタルカメラを背面側から見た斜視図である。
【図２】（ａ）はレリーズボタンの取り付け構造を説明するための分解斜視図、（ｂ）は（ａ）の下方から見た分解斜視図である。
【図３】カメラ本体のレリーズボタンの部分を上方から見た平面図である。
【図４】図３のＡ−Ａ線断面図である。
【図５】図３のＢ−Ｂ線断面図である。
【図６】図４のＣ−Ｃ線断面図である。
【発明を実施するための形態】
【００１０】
以下、本発明の実施形態の一例を図面を参照して説明する。
【００１１】
図１（ａ）は本発明の電子機器の一例であるデジタルカメラを正面側（被写体側）から見た斜視図、図１（ｂ）は図１（ａ）に示すデジタルカメラを背面側から見た斜視図である。
【００１２】
図１に示すように、本実施形態のデジタルカメラは、カメラ本体１０１の正面側にレンズ鏡筒１０２及びストロボ発光窓１０３が設けられ、上面部にレリーズボタン１０７及び電源ボタン１０６が設けられている。また、カメラ本体１０１の背面部には、ＬＣＤ等の表示装置１０４や各種設定を行うための設定ボタン群１０５が設けられている。ここで、カメラ本体１０１は、本発明の機器本体の一例に相当し、レリーズボタン１０７は、本発明の操作ボタンの一例に相当する。
【００１３】
図２（ａ）はレリーズボタン１０７の取り付け構造を説明するための分解斜視図、図２（ｂ）は図２（ａ）の下方から見た分解斜視図である。図３はカメラ本体１０１のレリーズボタン１０７の部分を上方から見た平面図、図４は図３のＡ−Ａ線断面図、図５は図３のＢ−Ｂ線断面図、図６は図４のＣ−Ｃ線断面図である。
【００１４】
図２に示すように、レリーズボタン１０７は、カメラ本体１０１の外装部１０１ｄに対して押し操作が可能に保持され、カメラ本体１０１を正面側から見て左右方向に長い横長のキートップ２０１を有する。キートップ２０１の裏面側中央部には、押し軸２０１ｂが突設され、キートップ２０１の裏面の長手方向の両端側には、一対の摺動軸２０１ａが押し軸２０１ｂを間に挟むように突設されている。また、キートップ２０１の裏面において、押し軸２０１ｂと一対の摺動軸２０１ａの一方の摺動軸２０１ａとの間、及び押し軸２０１ｂと他方の摺動軸２０１ａとの間には、それぞれ係止突起２０１ｃがキートップ２０１の短手方向に離間して突設されている。
【００１５】
カメラ本体１０１の外装部１０１ｄには、押し軸２０１ｂ、一対の摺動軸２０１ａ、及び一対の係止突起２０１ｃに対応して、押し軸用穴１０１ｂ、一対の摺動軸用穴１０１ａ、及び一対の係止突起用穴１０１ｃがそれぞれ形成されている。本実施形態では、押し軸用穴１０１ｂ、摺動軸用穴１０１ａ、及び係止突起用穴１０１ｃは、それぞれ断面矩形状とされている。
【００１６】
そして、係止突起２０１ｃが係止突起用穴１０１ｃに係止されることで、カメラ本体１０１に対するレリーズボタン１０７の抜け止めがなされる。
【００１７】
また、押し軸用穴１０１ｂに、押し軸２０１ｂを挿入することで、押し軸用穴１０１ｂのキートップ２０１の短手方向に互いに対向する各内壁面１０１ｂ１により、キートップ２０１の短手方向の位置が規制される。そして、キートップ２０１の押し操作時に、押し軸用穴１０１ｂの各内壁面１０１ｂ１により押し軸２０１ｂが軸方向にガイドされる（図５及び図６参照）。
【００１８】
摺動軸用穴１０１ａに、摺動軸２０１ａを挿入することで、摺動軸用穴１０１ａのキートップ２０１の長手方向に互いに対向する各内壁面のうちの押し軸用穴１０１ｂから離間する側の内壁面１０１ａ１により、キートップ２０１の長手方向の位置が規制される。そして、キートップ２０１の押し操作時に、摺動軸用穴１０１ａの内壁面１０１ａ１により摺動軸２０１ａが軸方向にガイドされる（図４及び図６参照）。
【００１９】
カメラ本体１０１の内部には、レリーズスイッチ２０５が実装されたフレキシブルプリント基板２０４が取り付けられ、レリーズボタン１０７のキートップ２０１を押し操作した際に、押し軸２０１ｂによりレリーズスイッチ２０５が押下される。
【００２０】
また、フレキシブルプリント基板２０４と外装部１０１ｄとの間には、板ばね状の付勢部材２０２が配置され、付勢部材２０２は、ねじ２０３等により外装部１０１ｄに締結される。付勢部材２０２は、ねじ２０３等の締結部２０２ｂを起点としてキートップ２０１の長手方向に略対称形状となるように延設された一対のアーム部２０２ｃを備え、一対のアーム部２０２ｃの先端部に一対の押圧部２０２ａが設けられている。一対の押圧部２０２ａは、一対の摺動軸２０１ａをそれぞれ押圧する。
【００２１】
そして、レリーズボタン１０７のキートップ２０１が押し操作されると、一対の摺動軸２０１ａが一対の押圧部２０２ａを押圧して、一対のアーム部２０２ｃを弾性変形させる。一対のアーム部２０２ｃの復元力によって、レリーズボタン１０７がキートップ２０１の押し方向と逆方向に付勢される。
【００２２】
このように、キートップ２０１の長手方向の両端部を押し方向と逆方向に付勢することで、キートップ２０１を押し操作した後に指を離した場合に、キートップ２０１が長手方向に傾くことがない。すなわち、キートップ２０１は押し方向または押し方向と逆方向にて振動する振動モードとなり、振動の減衰が速くなる。
【００２３】
一方、例えばキートップ２０１の中央部でコイルバネ等により付勢すると、キートップ２０１を押し操作した後に指を離した場合に、キートップ２０１は長手方向に傾く。このとき、キートップ２０１には、キートップ２０１の中央部を支点としたシーソー型の振動モードが発生する。
【００２４】
従って、本実施形態のように、キートップ２０１の長手方向の両端部を押し方向と逆方向に付勢することで、キートップ２０１を押し操作後に指を離した際に、キートップ２０１が傾く振動の発生を低減することができる。これによって、良好な操作感を操作者に与えることができる。
【００２５】
ここで  本実施形態では、摺動軸２０１ａ及び押し軸２０１ｂは、略円柱形状とされて、それぞれ摺動軸用穴１０１ａの内壁面１０１ａ１及び押し軸用穴１０１ｂの内壁面１０１ｂ１に対して軸方向に線接触するようになっている。これにより、キートップ２０１を押し操作した際に、摺動軸２０１ａ及び押し軸２０１ｂは、摺動軸用穴１０１ａ及び押し軸用穴１０１ｂに対して常に線接触でガイドされるので、摺動抵抗が低減してスムースな操作感を得ることができる。
【００２６】
この場合、一対の摺動軸用穴１０１ａの内壁面１０１ａ１の間の距離Ｌ１は、できるだけ長く設定することで、キートップ２０１の押し操作時のレリーズボタン１０７の傾きが低減し、よりスムースな操作感を得ることができる。
【００２７】
また、摺動軸用穴１０１ａ及び押し軸用穴１０１ｂの軸方向長さについても、キートップ２０１を押し操作した際のレリーズボタン１０７の傾きを低減させるため、できるたけ長く設定することが望ましい。
【００２８】
本実施形態では、付勢部材２０２により長さが規制される摺動軸用穴１０１ａの軸方向長さＨ１より押し軸用穴１０１ｂの軸方向長さＨ２を長くして、押し軸２０１ｂの先端をレリーズスイッチ２０５近傍に配置している。
【００２９】
以上説明したように、本実施形態では、操作者が横長のキートップ２０１のどの位置を押し操作しても常にレリーズボタン１０７を押下することができるとともに、キートップ２０１の押し操作時のレリーズボタン１０７の傾きを抑制することができる。これにより、レリーズボタン１０７の操作性が向上したデジタルカメラを提供することができる。
【００３０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３１】
１０１  カメラ本体
１０１ａ  摺動軸用穴
１０１ｂ  押し軸用穴
１０１ｄ  外装部
１０７  レリーズボタン
２０１  キートップ
２０１ａ  摺動軸
２０１ｂ  押し軸
２０２  付勢部材
【図１】
2013101813.tif 000003
【図２】
2013101813.tif 000004
【図３】
2013101813.tif 000005
【図４】
2013101813.tif 000006
【図５】
2013101813.tif 000007
【図６】
2013101813.tif 000008